(57)【要約】      （修正有）【課題】遠隔地域の各季節各時間の環境条件を所望の空間に模擬的に実現する。【解決手段】遠隔地域の各季節各時間の環境条件データを収集・記録し、上記記録された環境条件データを処理して環境条件模擬データを作成し、上記環境条件模擬データをデータベースに格納し、上記データベースから上記環境条件模擬データを使用者の所望空間にある遠隔環境条件模擬手段へ転送し、上記環境条件模擬データによって、所望の環境条件を使用者の所望空間又は生活環境に実現させる。使用者が各地域の各季節の環境、異なる地区の環境条件特性を体験することができ、かつ、人体の皮膚の触感に刺激を与え、雰囲気を適宜に変化させて新鮮感を維持し続けることができるため、疲れることはない。また、一般住宅用の小型空調設備に適用すれば、使用者が遠く離れた地域の気候や異なる環境条件の雰囲気を体験でき、静かな空間にいても孤独感を感じることがなくなる。【選択図】    図１
2005009847.tif 000002
【特許請求の範囲】
【請求項１】
遠隔地域の環境条件データを使用者の所望空間に模擬実現するための遠隔環境条件の模擬方法であって、
遠隔地域の各地方における各季節、各時間の環境条件データを収集・記録する遠隔環境条件データ収集・記録ステップと、
前記収集・記録された環境条件データをデータ処理して不要のデータを除去して、環境条件模擬データを生成するデータ処理ステップと、
前記環境条件模擬データをデータベースとしてデータベース記憶手段に格納するデータ格納ステップと、
前記データベースに格納された環境条件模擬データをデータ転送手段によって使用者の所望空間にある遠隔環境条件模擬制御手段に転送するデータ転送ステップと、
前記遠隔環境条件模擬制御手段に転送して受信された環境条件模擬データに基づいて、前記所望空間に前記遠隔地域の環境条件を模擬実現する模擬実現ステップとを含む。
【請求項２】
前記データ転送手段は、ネットワークにアクセスして前記データベース記憶手段を前記遠隔環境条件模擬制御手段に通信可能に接続する、請求項1記載の遠隔環境条件の模擬方法。
【請求項３】
前記データ格納ステップは、環境条件模擬データ以外に、使用者によって編集されたデータまたは各地方の気象機構より提供されたデータを選択して前記データベースに含ませるステップを含む、請求項1記載の遠隔環境条件の模擬方法。
【請求項４】
前記データ転送ステップは、前記データベースから環境条件模擬データ、使用者によって編集されたデータまたは各地方の気象機構より提供されたデータを選択して転送するステップを含む、請求項3記載の遠隔環境条件の模擬方法。
【請求項５】
前記環境条件データは、風速、気温、湿度、自然光の明るさ、紫外線量、臭い、騒音、気圧、雨量、及び年月日、時刻かななるグループから選ばれるデータを含む、請求項1記載の遠隔環境条件の模擬方法。
【請求項６】
前記遠隔環境条件模擬制御手段は空調機、扇風機、除湿機、暖房機、空気清浄機、照明機具、香気発生機、及び噴水機よりなるグループから選ばれる機器を含む、請求項1の遠隔環境条件の模擬方法。
【請求項７】
前記データ処理ステップにおいて、不要データを除去するためにフーリエ変換法と加重演算法を応用する、請求項1記載の遠隔環境条件の模擬方法。
【請求項８】
前記データ転送手段にはフレキシブルディスク、ハードディスク、光ディスク、及びメモリカードよりなるグループから選ばれるデータ記録媒体が含まれる、請求項1記載の遠隔環境条件の模擬方法。
【請求項９】
前記データ転送ステップの前にデータ転送方式を決めるためのデータ転送方式決定ステップを含む、請求項1記載の遠隔環境条件の模擬方法。
【請求項１０】
前記データ転送方式決定ステップは、遠隔環境条件模擬データを圧縮するステップを含む、請求項9記載の遠隔環境条件の模擬方法。
【請求項１１】
前記データ転送方式決定ステップは、前記環境条件模擬データを、前記所望空間に模擬実現するべく、これを模擬制御指令に変換する制御指令発生ステップを含む、請求項10記載の遠隔環境条件の模擬方法。
【請求項１２】
前記データ転送方式決定ステップは、前記遠隔環境条件模擬データの即時転送及び前記データベースの状態の更新を行うステップを含む、請求項1記載の遠隔環境条件の模擬方法。
【請求項１３】
前記遠隔環境条件模擬制御手段は、前記遠隔環境条件模擬データの受信後、前記遠隔環境条件模擬データの風速、気温、湿度、自然光の明るさ、紫外線量、臭い、騒音、気圧、雨量、年月日、時刻に対応して所望空間の環境条件を調整する機能モジュールを有し、各機能モジュールの機能を調整可能とした、請求項1記載の遠隔環境条件の模擬方法。
【請求項１４】
遠隔地域に設けられた環境条件検出手段と、
前記環境条件検出手段によって検出されて送信された該遠隔地域の各地方における各季節、各時間の環境条件データを収集・記録する遠隔環境条件データ収集・記録手段と、
前記遠隔環境条件データ収集・記録手段によって収集・記録された遠隔環境条件データをデータ処理して不要のデータを除去して環境条件模擬データを生成するデータ処理手段と、
前記遠隔環境条件模擬データをデータベースとして格納するデータベース記憶手段と、
前記データベース記憶手段に格納されたデータベースの遠隔環境条件模擬データを使用者の所望空間にある環境条件模擬制御手段に転送するデータ転送手段とを備え、
前記環境条件模擬制御手段によって前記所望空間に前記遠隔地域の各地方における各季節、各時間の環境条件を模擬実現する遠隔環境条件模擬システム。
【請求項１５】
前記環境条件模擬制御手段は、空調機、扇風機、除湿機、暖房機、空気清浄機、照明機具、香気発生機、及び噴水機よりなるグループから選ばれる機器を含む、請求項14記載の遠隔環境条件模擬システム。
【請求項１６】
前記環境条件データは、風速、気温、湿度、自然光の明るさ、紫外線量、臭い、騒音、気圧、雨量及び年月日、時刻からなるグループから選ばれるデータを含む、請求項14記載の遠隔環境条件模擬システム。
【請求項１７】
前記環境条件検出手段は、複数の環境条件検出モジュールを含み、各環境条件検出モジュールは各環境条件をアナログデータとして検出し、前記アナログデータをデジタルデータに変換する機能を有する、請求項14記載の遠隔環境条件模擬システム。
【請求項１８】
前記データ処理手段は、使用者によって編集されたデータと、各地方の気象機構より提供されるデータを受け入れて、選択的に処理する機能を有する、請求項14記載の遠隔環境条件模擬システム。
【請求項１９】
前記データベース記憶手段は、前記遠隔環境条件模擬データの他に、使用者によって編集されたデータ及び各地方の気象機構より提供されるデータを選択的に格納する、請求項14記載の遠隔環境条件模擬システム。
【請求項２０】
前記データ転送手段はネットワークにアクセスして前記データベース記憶手段を前記環境条件模擬制御手段に通信可能に接続するオンライン（On-Line）接続手段を含む、請求項14記載の遠隔環境条件模擬システム。
【請求項２１】
前記オンライン（On-Line）接続手段はデータを圧縮するデータ圧縮手段を含む、請求項20記載の遠隔環境条件模擬システム。
【発明の詳細な説明】
【技術分野】
【０００１】
本発明は環境条件の制御技術に関し、特にある遠隔地域のある季節の環境条件データに基づいて、所望の地区又は空間において所定の遠隔地域の所定の季節の環境状態を模擬的に実現する方法及びシステムに関するものである。
【０００２】
この模擬的に実現する方法及びシステムを、以下には模擬方法及び模擬システムと称する。
【背景技術】
【０００３】
現在広汎に使われる空調機、扇風機又はその他の環境制御設備は送出風速や温度を使用者の必要によって調整可能であり、所望の条件に設定可能になっている。ただし一旦運転条件が設定されると、設定条件で運転が持続され、特に送出風速などは一定に維持されるようになっている。
【０００４】
近年においては、智慧型制御技術が開発され、環境条件の変化に伴って、空調機から送出される空気の流速を変化させるような技術の研究が進んでいる。例えば、スウィング式送風案内羽根を採用し吹き出し風向を変更し、或は扇風機の回転スピードを細分して、送風量を周期的に可変とした技術が開発されている。ただしそれでも従来の技術は、空調機を所望の環境パターンに応じて出力させることができず、使用者の需要に応じて細部の調整を行うこともできない。例えば「自然なパターン」で冷気や暖気を送出するものとして送風案内羽根を所定角度範囲を揺動させる技術が実用化されているが、この技術も送出風の送出パターンの変化は限られ、外部環境条件や個人の需要に応じて送出風の送出パターンを変化させ、ある特定な地域の自然環境条件を模擬的に実現することは極めて困難であった。
【発明の開示】
【発明が解決しようとする課題】
【０００５】
また、環境条件に応じて出力が限られた従来の空調システムには、特殊な環境制御用途には多くの制限があった。例えば、動物園では各気候タイプの動物を飼育するために、飼育する動物の生存活動条件に相応する環境を作ること、特に動物の生存に適合な条件を実現しなければならない。このような動物園の環境制御技術を改善できれば、外来の動物がより飼育環境に慣れるようにすることができ、且つ、その生存率と繁殖率を大幅に高めることができる。
【０００６】
上記従来技術の欠点に鑑みて、本発明は遠隔環境条件模擬方法及びシステムを提供し、ある地域の温度、風速、湿度、明暗度、音声、及び臭い等を含んだ環境条件を、利用者の希望によって模擬的に実現することを目的とする。
【０００７】
また、本発明は使用者が遠くへ旅行しなくても世界中各地の環境条件を体験できるようにする、遠隔環境条件模擬方法及びシステムを提供することを目的とする。
【０００８】
さらに、本発明は収集された環境条件模擬データに基づいて、所望の地区又は空間において即時に活動や生存に最適な環境条件の模擬的実現を行なう、遠隔環境条件模擬方法及びシステムを提供することを目的とする。
【課題を解決するための手段】
【０００９】
本発明の遠隔環境条件の模擬方法は、請求項1に記載されているように、
遠隔地域の環境条件データを使用者の所望空間に模擬実現するための遠隔環境条件の模擬方法であって、
（１）遠隔地域の各地方における各季節、各時間の環境条件データを収集・記録する遠隔環境条件データ収集・記録ステップと、
（２）前記収集・記録された環境条件データをデータ処理して不要のデータを除去して、環境条件模擬データを生成するデータ処理ステップと、
（３）前記環境条件模擬データをデータベースとしてデータベース記憶手段に格納するデータ格納ステップと、
（４）前記データベースに格納された環境条件模擬データをデータ転送手段によって使用者の所望空間にある遠隔環境条件模擬制御手段に転送するデータ転送ステップと、
（５）前記遠隔環境条件模擬制御手段に転送して受信された環境条件模擬データに基づいて、前記所望空間に前記遠隔地域の環境条件を模擬実現する模擬実現ステップと、
を含む。
【００１０】
そして、前記データ格納ステップは環境条件模擬データ以外を、使用者によって編集されたデータまたは各地方の気象機構より提供されたデータを選択して前記データベースに含ませるステップを含む。
【００１１】
又、前記データ転送ステップは、前記データベースから環境条件模擬データを、使用者によって編集されたデータまたは各地方の気象機構より提供されたデータを選択して転送するステップを含む。
【００１２】
又、前記環境条件データは、風速、気温、湿度、自然光の明るさ、紫外線量、臭い、騒音、気圧、雨量、及び年月日、時刻かななるグループから選ばれるデータを含む。
【００１３】
又、前記データ処理ステップにおいて不要データを除去するためにフーリエ変換法と加重演算法を応用する。
【００１４】
前記転送手段にはフレキシブルディスク、ハードディスク、光ディスク、及びメモリカードよりなるグループから選ばれるデータ記録媒体が含まれる。
【００１５】
又、前記データ転送ステップの前にデータ転送方式を決めるためのデータ転送方式決定ステップを含む。
【００１６】
又、前記データ転送方式決定ステップは、遠隔環境条件模擬データを圧縮するステップを含む。
【００１７】
又、前記データ転送方式決定ステップは、前記環境条件模擬データを、前記所望空間に模擬実現するべく、これを模擬制御指令に変換する制御指令発生ステップを含む。
【００１８】
前記データ転送方式決定ステップは、前記遠隔環境条件模擬データの即時転送及び前記データベースの状態の更新を行うステップを含む。
【００１９】
又、前記遠隔環境条件模擬制御手段は、前記遠隔環境条件模擬データの受信後、前記遠隔環境条件模擬データの風速、気温、湿度、自然光の明るさ、紫外線量、臭い、騒音、気圧、雨量、年月日、時刻に対応して所望空間の環境条件を調整する機能モジュールを有する。
【００２０】
又、本発明に係る遠隔環境条件模擬システムは、請求項14に記載されているように、
（１）遠隔地域に設けられた環境条件検出手段と、
（２）前記環境条件検出手段によって検出されて送信された該遠隔地域の各地方における各季節、各時間の環境条件データを収集・記録する遠隔環境条件データ収集・記録手段と、
（３）前記遠隔環境条件データ収集・記録手段によって収集・記録された遠隔環境条件データをデータ処理して不要のデータを除去して環境条件模擬データを生成するデータ処理手段と、
（４）前記遠隔環境条件模擬データをデータベースとして格納するデータベース記憶手段と、
（５）前記データベース記憶手段に格納されたデータベースの遠隔環境条件模擬データを使用者の所望空間にある環境条件模擬制御手段に転送するデータ転送手段と、
を備え、
（６）前記環境条件模擬制御手段によって前記所望空間に前記遠隔地域の各地方における各季節、各時間の環境条件を模擬実現する。
【００２１】
そして、前記環境条件模擬制御手段は、空調機、扇風機、除湿機、暖房機、空気清浄機、照明機具、香気発生機、及び噴水機よりなるグループから選ばれる機器を含む。
【００２２】
又、前記環境条件データは、風速、気温、湿度、自然光の明るさ、紫外線量、臭い、騒音、気圧、雨量及び年月日、時刻からなるグループから選ばれるデータを含む。
【００２３】
又、前記環境条件検出手段は、複数の環境条件検出モジュールを含み、各環境条件検出モジュールは各環境条件をアナログデータとして検出し、前記アナログデータをデジタルデータに変換する機能を有する。
【００２４】
又、前記データ処理手段は、使用者によって編集されたデータと、各地方の気象機構より提供されるデータを受け入れて、選択的に処理する機能を有する。
【００２５】
又、前記データベース記憶手段は、前記遠隔環境条件模擬データの他に、使用者によって編集されたデータ及び各地方の気象機構より提供されるデータを選択して格納する。
【００２６】
又、前記転送手段はネットワークにアクセスして前記データベース記憶手段を前記環境条件模擬制御手段に通信可能に接続するオンライン（On-Line）接続手段を含む。
【００２７】
又、前記オンライン（On-Line）接続手段はデータを圧縮するデータ圧縮手段を含む。
本発明の遠隔環境条件の模擬方法によれば、上記遠隔環境条件データ収集・記録ステップで世界各地域の各季節の環境条件データを収集して記録し、上記データ処理ステップで上記記録された環境条件データを処理して環境条件模擬データを作成し、上記データベース格納ステップで上記環境条件模擬データをデータベースに格納し、上記データ転送ステップで上記データベースから上記環境条件模擬データを使用者の所望空間にある遠隔環境条件模擬手段へ転送し、上記模擬実現ステップで上記環境条件模擬データによって、所望の環境条件を使用者の所望空間又は生活環境に実現させるのである。
【００２８】
本発明の遠隔環境条件の模擬方法及びシステムによれば、使用者が各地域の各季節の環境、異なる地区の環境条件特性を体験することができ、かつ、人体の皮膚の触感に刺激を与え、雰囲気を適宜に変化させて新鮮感を維持し続けることができるため、疲れることはない。従って、本発明に係る遠隔環境条件の模擬方法及びシステムを、一般住宅用の小型空調設備に適用すれば、使用者が遠く離れた所定の地域の気候や異なる環境条件の雰囲気を体験でき、静かな空間にいても孤独感を感じることはなくなる。
【発明を実施するための最良の形態】
【００２９】
以下に説明する実施形態は、本発明に係る遠隔環境条件の模擬方法及びシステムを、一般住宅に用いられる小型空調設備に適用し、遠隔環境条件模擬条件データを小型空調設備に提供し、該小型空調設備を前記の遠隔環境条件データに従った空調パターンで作動させ、遠隔環境条件を使用者の所在空間の環境に模擬実現するものである。ただし、本発明に係る遠隔環境条件の模擬方法及びシステムは、小型空調設備に限定されるものではない。広義に言えば、本発明は空間環境条件を変更できる環境制御設備、例えば電気暖房機、空気清浄機、除湿機、扇風機など、特に多くの機能を統合する環境制御設備にも適用できる。
【００３０】
図1は本発明の遠隔環境条件模擬システム10の構成を示す説明図であって、遠隔環境条件模擬システム10は、
（１）遠隔地域に設けられた環境条件検出手段としての複数の環境条件検出モジュール110と、
（２）前記複数の環境条件検出モジュール110によって検出され送信された該遠隔地域の各地方における各季節、各時間の環境条件データを収集・記録する遠隔環境条件データ収集・記録手段としてのデータ収集・記録ユニット120と、
（３）前記データ収集・記録ユニット120によって収集・記録された遠隔環境条件データをデータ処理して不要のデータを除去して環境条件模擬データを生成するデータ処理手段であるデータ分析器130と、
（４）前記遠隔環境条件模擬データをデータベースとして格納するデータベース記憶手段としての記憶装置300と、
（５）前記データベース記憶手段である記憶装置300に格納されたデータベースの遠隔環境条件模擬データを使用者の所望空間にある環境条件模擬制御手段としての空調設備500に転送するデータ転送手段400とを備える。
【００３１】
前記データ転送手段400は、後述するオンライン接続手段としてのインターネットなどのネットワークにアクセスして前記データベースを格納した記憶装置300を前記環境条件模擬制御手段としての空調設備である空調設備500に通信可能にオンライン接続するための、オンライン接続手段としてのキーボート410、データ転送用パソコン420を含む。
【００３２】
環境条件検出モジュール110は、例えば温度検知器111、湿度検知器112、雨量計113、風速検知器を含むが、その他例えば図示しない明るさ検知器、臭い検知器、紫外線量検知器などを含み、それにカレンダーと時間を記録する装置を仕組むことができる。又、空調設備500は後述するメモリカード430を挿入して作動する自動制御ユニット520と、機能モジュール510及びファン530と除湿モジュール540を含む。
【００３３】
さらに、使用者が遠隔環境条件を模擬的に実現したい所望の空間には、ユーザ環境条件検知器600を設置し、模擬される空間の環境条件を常時検出して、検出したデータを自動制御ユニット520に入力するようにしている。
【００３４】
データ収集・記録ユニット120は、各地域に設置された環境条件検出モジュール110から転送された各地区環境条件データを収集し、これらの環境条件データを、環境条件データの類別（例えば温度、湿度、風速等）に従ってまとめて処理することで、関連処理設備の作業スピードを速くし、環境条件データを検索するのに必要な時間を短縮することができる。また、データ収集・記録ユニット120は、収集した環境条件データを、インターネットなどのネットワーク又は特定の転送ラインによってデータ分析器130に入力する。そして、該データ分析器130は、それらの環境条件データを、異なる環境類別に従って分析処理を行う。該データ分析器130は、まず信号処理技術（例えばフーリエ変換、加重平均分析等）によって環境条件データに含まれた不要なデータ、例えばノイズを除去する。そして、これらのノイズが除去された環境条件データは、単一類別又は類別に細分され、データを収集した地域の最も代表的な環境条件データを作成して、これを遠隔環境条件模擬として、データベースにして記憶装置300に格納する。
【００３５】
このデータ分析器130は、データ収集・記録ユニット120から提供された環境条件データ以外、使用者がパソコン200を通じて適当な編集ソフトを使って環境条件の風速、温度及び湿度等に対する変化を編集して作成したデータ、或は各地域の気象機構より提供される気象データなど多くの環境条件データを取り入れて処理することができ、かつ、データ収集・記録ユニット120から提供された環境条件データと統合を行い、所望の環境条件データを選択的に作成することもできる。こうして作成された環境条件データを編集データと称し、記憶装置300に格納され、前記データ転送手段400を介してメモリカード430に転送され、これに記憶される。
【００３６】
また、前記編集データは、遠隔地域の所望地区で作成して記録媒体に記憶し、これを郵送でユーザに提供してメモリカード430として使用することもできる。
【００３７】
上記データ分析器130によって分析処理された環境条件模擬データは、データベース300に保存される。これは、使用者が常に環境条件の変化を体験して、環境条件を制御していない場合との区別が実際に分かるようにするために、大量の環境条件データを含むデータベースを作成するためである。該データベース300に保存された各種環境条件データは、データ転送手段400に含まれたキーボート410とデータ転送用パソコン420を介して、ネットワークに通信可能に接続することによって、環境条件模擬制御手段としての空調設備500に転送される。そして、転送された環境条件模擬データを使用者の現に所在する生活環境の中で再現する。例えば使用者が、オーストラリア地区のある季節、温度を選択したい場合、パソコン420によってデータベース300から、所望のオーストラリアの環境条件を選択して環境条件模擬データや制御指令を読み取る。そして、それらのデータや指令をパソコン420内部に設置されたメモリ（図示せず）にダウンロードする。このダウンロードプロセスで転送用の転送波のバンド幅が不足している場合、データベース300のデータを予め圧縮した後に、転送設備400を通じてパソコン420にダウンロードした後圧縮してデータを転送することができる。又、環境条件データの模擬に係るプロセスのプログラムを予め空調設備500内部に設置された自動制御ユニット520に書き込み、このプログラムによってデータを転送することもできる。そして、転送用電波のバンド幅が充分ある場合、収集された環境条件データの即時転送やデータベースの更新を行うこともできる。これにより、パソコン420が先にダウンロードされたデータを処理（例えば圧縮解除）した後、自動制御ユニット520に転送する。このようにして、該自動制御ユニット520は、これらのデータベース300から選択してダウンロードされた所望のオーストラリアに関する環境条件模擬データ、及び使用者の所在空間に装着されたユーザー環境条件検知器600から入力された検知データと対照して、使用者が現に所在する環境に最適な制御指令を出力し、空調設備500に設置された機能モジュール510を駆動し、最適な模式で作動できるようにする。このようにすると、小型空調設備500の作動に必要な電力消耗を大幅に節約できるし、オーストラリア現場における環境条件を、使用者の現に所在する空間に模擬実現することができる。例えば機能モジュール510は、送風ファンん530の回転スピードと出力温度を制御して、使用者の所在空間における温度を、オーストラリア現地の温度に近づくように調整する。該機能モジュール510は、データ転送設備400から転送された温度変化に関する環境条件模擬データに基づき、ファン530の出力状態をいつでも調整し、使用者が同期的にオーストラリア現場の温度を体験し、環境条件に対する新鮮な感覚を持続的に保持することができる。また、該機能モジュール510は、データ転送設備400によって転送されたオーストラリア現場湿度に基づき、時間の変化に応じて除湿作動モジュール540の作動模式を調整して、所在環境における空気含水量をオーストラリアと同一になるように変換する。ただし、上述のファン530と除湿モジュール540は好ましい実施例としての説明であって、本発明の適用範囲に限定されるものではない。ファン530と除湿モジュール540はそれぞれ、遠隔環境条件模擬データの供給元である湿度検知器111と温度検知器112の検知結果に対応された湿度と温度の変化パターンで作動する。また、使用者はさらに、データ転送設備400のオンライン接続を、上述の編集データをデータベース300から上述のメモリカード430に入力すべく切り換えて該編集データを小型空調設備500に設置され自動制御ユニット510に入力して、該編集データに基づいて、小型空調設備500を制御して、体験しようとする環境条件を模擬するようにしても良い。
【００３８】
また、使用者は実際の需要に応じて、機能モジュール510に電気的に接続された補助装置、例えば拡声器（図示せず）、臭い発生器（図示せず）、ないし場面表示スクリーン（図示せず）等を小型空調設備500にそれぞれ付け加えて、機能モジュール510により、ユーザ環境条件検知器600から入力されたデータと照合して、これらの補助装置を作動させ、例えば、草原を静かにそよぐ微風、海辺の風に揺れる椰子等の場面と温度やその他の環境条件を実現するようにしても良い。
【００３９】
図2はフローチャートであり、本発明に係る小型空調設備を遠隔環境条件模擬に適用する場合の各ステップや手順を示す。まずステップS1で、遠隔地区（例えばオーストラリア）に設置された環境条件検知モジュール110によって時間とともに変化する環境条件を検知し、その次に、データ収集・記録ユニット120により環境条件検知モジュール110の検知した各タイプの環境条件データを収集・記録する。そして、ステップS2に入る。
【００４０】
ステップS2において、データ分析器130によって上述データ収集・記録ユニット120から収集された各タイプの環境条件データに代表された物理的意義を分析し、フーリエ変換と加重平均分析等のデータ処理技術を応用して、これらの環境条件データに存在したノイズを除去して、オーストラリア当地における時間とともに変化する最も代表的な環境条件データを参考の根拠として獲得した後、これらの環境条件データを使用者参考のための環境条件模擬データとして、機能モジュール510を作動できるための制御指令に変換する。又、別にパソコン200によって、使用者は適当な編集プログラムによって所望の環境条件データを作成・編集してデータベースに提供し、また、各地の気象機構にオンライン接続して、より詳細な環境条件データを取得して前記データ分析器130に提供し、前記遠隔環境条件データ収集・記録器120によって収集・記録されたデータを補正、又は調合して、編集データにすることもできる。そして、ステップS3に入る。
【００４１】
ステップS3において、本発明は、使用者が環境条件における気流の変化パターンに急に慣れて新鮮感を失うことがないように、十分に変化に富む環境条件データを含む環境条件データベースを提供し、使用者が各タイプの環境条件の状態を体験し、実現された環境条件の新鮮感を常時保持できるようにする。データ分析器130は各環境条件データの提供ルートにより提供されたデータを分析し、分析された環境条件データをデータベース300に転送し保存して、十分に変化に富む環境条件が保存されているデータベースを作成する。そして、ステップS4に入る。
【００４２】
ステップS4においては、データ転送設備400に含まれたオンライン接続手段410の接続を切り換えて、メモリカード430を介して、データベース300に保存された編集データを、空調設備500の自動制御ユニットに転送し、空調設備500はこれらの環境条件データを受信する。そして、ステップS5に入る。
【００４３】
ステップS5において、使用者はオンライン接続で転送されて来た環境条件模擬データを転送用パソコン420によって圧縮又は分析処理し、自動制御ユニット520に送信する。メモリカード430により作動に参考のための環境条件データや制御指令が既に提供されている場合、自動制御ユニット520はこれらの参考環境条件データを読み取り、転送用パソコン420からの指令によって、所望の模擬方式を決め、遠隔環境条件模擬データによるか、それとも編集データによる制御を行なう。いずれの方式とも小型空調設備500に含まれた各機能モジュール520、ファン530、除湿作動モジュール540などを所望のパターンで作動させる。
【００４４】
上記のように、本発明に係る遠隔環境条件模擬方法及びシステムは、遠隔地区に設置された複数の環境条件検知モジュールにより、環境条件データを検知してこの環境条件データをデータ収集・記録ユニットにより、まとめて整理した後、データ分析器により分析・整理し、且つ環境条件データ内に含まれたノイズを除去することで、環境条件の時間に伴う変化を含む代表的なデータを取得して、かつ取得された環境条件データをデータベースに保存し、転送設備またはメモリ媒体により、各地域環境条件模擬データを作成して転送し、これらのデータを環境条件模擬制御設備に設置された制御器に提供する。該制御器は環境制御設備に設置された複数の機能を有する機能モジュールをコントロールすることにより、環境条件特性を使用者の所在環境空間に模擬実現する。
【００４５】
さらに、本発明に係る遠隔環境条件模擬方法及びシステムの環境条件データは、転送設備により各地区気象機構のデータベースにオンライン接続することで取得することもできる。こうして取得された環境条件データを分析処理して、所望の空間に模擬実現することもできる。また、各地区気象機構から取得された環境条件データに基づき、特定地区における将来のある時間帯の環境条件を特定の需要のある使用者のために、予め模擬実現することもできる。該地区へ旅行しようとする使用者は、予め該特定地区の環境条件を模擬によって体験し、それに応じた措置を取り、旅行を思う存分に楽しめることができる。また、本発明の特徴は、特定地区環境模擬実現の機能を環境制御設備の備えた場所に提供することにもある。例えば動物園に飼育されているコアラについて説明すると、コアラは、オーストラリアのみが原産地であり、オーストラリア以外の地域の環境条件に極敏感でかつ適応性の悪い動物であるため、本発明による環境制御設備をコアラの飼育環境に適用して、コアラの飼育環境においてコアラの原生地区即ちオーストラリア現地の環境条件の模擬作業を行い、環境制御設備から出力された温度、湿度ないし臭いをいずれもオーストラリア現場環境条件と同様にし、風量及び温度、湿度を機動的に変更して、コアラに原生地と同一の飼育環境を提供することができる。本発明によれば、現行動物園の管理作業のように単にコンピューター温度制御方式によって環境条件を周期的に変化させることではないため、コアラがより飼育空間の環境条件に慣れるようにでき、異なる地区に生存する生存率を向上し、さらにその繁殖率を向上することもできる。本発明に係る環境制御設備を製造業に適用する場合、自動車製造業種を例に挙げれば、車両がアメリカに量産出荷される前のテスト段階で、車両を、本発明に係る環境制御設備が適用されたテスト空間に放置して、本発明に係る環境制御設備から提供された遠隔環境条件模擬機能により、ある時期におけるアメリカ現地の日射量、温度、湿度、及び雨に含まれた酸成分比等の環境条件をテスト空間に模擬することで、メーカーはこのテストの結果に基づき、車両の焼付け塗料とその比例成分を改善し、板金や制御回路の保護措置を強化することができる。このように、メーカーは大量の人力と財力を投入して製品を販売地域に搬送して現地でテストを行うことなく、製造地で本発明に係る遠隔環境模擬機能を利用し、アメリカ当地と同じ環境条件を模倣してテストを行うことができる。このため、少量のテスト時間やテストコストだけで、販売地の需要に相応しい車両を製造することができる。この例から分かるように、本発明に係る遠隔環境条件模擬方法及びシステムは、遠隔環境条件模擬機能を、環境制御設備を介して発揮するので、使用者が大量の金銭や時間を費やすこともなく、又、遠くへ旅行することもなく、所望地区の環境条件の特徴を体験することができる。従って、個人や企業にしては極めて実用上の価値がある。
【００４６】
なお、以上は本発明の好ましい実施例を示すものであって、これらによって何ら限定されるものではない。本発明に係る実質的な技術内容は、下記の特許請求の範囲に定義される。本発明はこの技術分野に精通したものが特許請求の範囲を脱しない範囲で色々な修飾や変更が可能であり、そうした修飾や変更は本発明の技術範囲に入るものである。
【図面の簡単な説明】
【００４７】
【図１】本発明の一実施例の説明図であって、本発明に係る遠隔環境条件模擬システム10が小型空調設備500に適用されたシステム構造を示す。
【図２】フローチャートであり、本発明に係る小型空調設備を遠隔環境条件模擬に適用する場合の各ステップやフローを示す。
【符号の説明】
【００４８】
10  遠隔環境条件模擬システム
110  環境条件検知モジュール
111  湿度検知器
112  温度検知器
114  風速検知器
120  データ収集・記録ユニット
130  データ分析器
200  パソコン
300  データベース記憶装置
400  転送手段
410  オンライン接続設備
420  転送用パソコン
430  メモリカード
500  小型空調設備（環境条件模擬制御装置）
510  機能モジュール
520  自動制御ユニット
530  空調作動モジュール（ファン）
540  除湿作動モジュール
600  ユーザー環境条件検知器
【図１】
2005009847.tif 000003
【図２】
2005009847.tif 000004